(57)【要約】【目的】海水浴場やプールなどでサンダルを必要とするユーザーに、ユーザーが希望するサイズ、タイプ、又はカラーのサンダルをその場で直ちに製造し販売することができる、サンダルの自動製造販売装置を提供する。【構成】複数のサンダル用ソールを複数のサイズ別に収容したソール収容部と、複数のサンダル用アッパーを複数のサイズ別に収容したアッパー収容部と、ユーザーが希望するソール及びアッパーのサイズを選択するためのサイズ選択部と、ユーザーが希望するサンダルの製造販売のための対価を入金するための対価入金部と、ユーザーが希望したアッパーをユーザーが希望したソールに取り付けるための取り付け機構部と、前記取り付け機構部により前記のアッパーがソールに取り付けられて成るサンダルをユーザーが取り出せる取り出し口に排出するためのサンダル排出部と、を含み、これらが筐体に収容されているものである。【選択図】    図２
2004151748.tif 000002
【特許請求の範囲】
【請求項１】
複数のサンダル用ソールを複数のサイズ別に収容したソール収容部と、
前記ソール収容部に収容された複数のソールの中から所定のサイズのソールを取り出すためのソール取り出し部と、
複数のサンダル用アッパーを複数のサイズ別に収容したアッパー収容部と、
前記アッパー収容部に収容された複数のアッパーの中から所定のサイズのアッパーを取り出すためのアッパー取り出し部と、
ユーザーが希望するソール及びアッパーのサイズを選択するためのサイズ選択部と、
ユーザーが希望するサンダルの製造販売のための対価を入金するための対価入金部と、
前記サイズ選択部又は前記対価入金部からの信号に基づいて、前記ソール収容部及び前記アッパー収容部からそれぞれユーザーが選択したサイズのソール及びアッパーを取り出すように、前記ソール取り出し部及び前記アッパー取り出し部を制御するための制御手段と、
前記制御手段又は前記対価入金部からの信号に基づいて、前記の取り出されたアッパーを前記の取り出されたソールに取り付けるための取り付け機構部と、
前記取り付け機構部により前記のアッパーがソールに取り付けられて成るサンダルをユーザーが取り出せる取り出し口に排出するためのサンダル排出部と、
を含み、前記ソール収容部、前記アッパー収容部、前記ソール取り出し部、前記アッパー取り出し部、前記取り付け機構部、及び前記サンダル排出部が一つの筐体に収容されて成ることを特徴とするサンダルの自動製造販売機。
【請求項２】
複数のサンダル用ソールを複数のサイズ別に収容したソール収容部と、
前記ソール収容部に収容された複数のソールの中から所定のサイズのソールを取り出すためのソール取り出し部と、
複数のサンダル用アッパーを複数のサイズ別に且つ複数のタイプ別に収容したアッパー収容部と、
前記アッパー収容部に収容された複数のアッパーの中から所定のサイズ及びタイプのアッパーを取り出すためのアッパー取り出し部と、
ユーザーが希望するソールのサイズ及びアッパーのサイズ及びタイプを選択するためのサイズタイプ選択部と、
ユーザーが希望するサンダルの製造販売のための対価を入金するための対価入金部と、
前記サイズタイプ選択部又は前記対価入金部からの信号に基づいて、前記ソール収容部からユーザーが選択したサイズのソールを取り出すと共に前記アッパー収容部からユーザーが選択したサイズ及びタイプのアッパーを取り出すように、前記ソール取り出し部及び前記アッパー取り出し部を制御するための制御手段と、
前記制御手段又は前記対価入金部からの信号に基づいて前記の取り出されたアッパーを前記の取り出されたソールに取り付けるための取り付け機構部と、
前記取り付け機構部により前記のアッパーがソールに取り付けられて成るサンダルをユーザーが取り出せる取り出し口に排出するためのサンダル排出部と、
を含み、前記ソール収容部、前記アッパー収容部、前記ソール取り出し部、前記アッパー取り出し部、前記取り付け機構部、及び前記サンダル排出部が一つの筐体に収容されて成ることを特徴とするサンダルの自動製造販売機。
【請求項３】
複数のサンダル用ソールを複数のサイズ別に且つ複数のカラー別に収容したソール収容部と、
前記ソール収容部に収容された複数のソールの中から所定のサイズ及びカラーのソールを取り出すためのソール取り出し部と、
複数のサンダル用アッパーを複数のサイズ別に且つ複数のカラー別に収容したアッパー収容部と、
前記アッパー収容部に収容された複数のアッパーの中から所定のサイズ及びカラーのアッパーを取り出すためのアッパー取り出し部と、
ユーザーが希望するソール及びアッパーのサイズとカラーとを選択するためのサイズカラー選択部と、
ユーザーが希望するサンダルの製造販売のための対価を入金するための対価入金部と、
前記サイズカラー選択部又は前記対価入金部からの信号に基づいて、前記ソール収容部及び前記アッパー収容部からユーザーが選択したサイズ及びカラーのソール及びアッパーをそれぞれ取り出すように、前記ソール取り出し部及び前記アッパー取り出し部を制御するための制御手段と、
前記制御手段又は前記対価入金部からの信号に基づいて前記の取り出されたアッパーを前記の取り出されたソールに取り付けるための取り付け機構部と、
前記取り付け機構部により前記のアッパーがソールに取り付けられて成るサンダルをユーザーが取り出せる取り出し口に排出するためのサンダル排出部と、
を含み、前記ソール収容部、前記アッパー収容部、前記ソール取り出し部、前記アッパー取り出し部、前記取り付け機構部、及び前記サンダル排出部が一つの筐体に収容されて成ることを特徴とするサンダルの自動製造販売機。
【請求項４】
複数のサイズのサンダル用ソールを形成するための帯状体を収容している帯状体収容部と、
複数のサイズ別に複数のサンダル用アッパーを収容したアッパー収容部と、
前記アッパー収容部に収容された複数のアッパーの中から所定のサイズのアッパーを取り出すためのアッパー取り出し部と、
ユーザーが希望するソールのサイズを選択するためのソールサイズ選択部と、
ユーザーが希望するアッパーのサイズを選択するためのアッパーサイズ選択部と、
ユーザーが希望するサンダルの製造販売のための対価を入金するための対価入金部と、
前記ソールサイズ選択部又は前記対価入金部からの信号に基づいて前記帯状体収容部からの帯状体を前記ユーザーが選択したソールのサイズの形状に切り抜くための切り抜き部と、
前記アッパーサイズ選択部又は前記対価入金部からの信号に基づいて、前記アッパー収容部からユーザーが選択したサイズのアッパーを取り出すように、前記アッパー取り出し部を制御するための制御手段と、
前記切り抜き部、前記制御手段、又は前記対価入金部からの信号に基づいて、前記アッパー収容部から取り出されたアッパーを前記切り抜き部で切り抜かれたソールに取り付けるための取り付け機構部と、
前記取り付け機構部により前記のアッパーがソールに取り付けられて成るサンダルをユーザーが取り出せる取り出し口に排出するためのサンダル排出部と、
を含み、前記帯状体収容部、前記アッパー収容部、前記アッパー取り出し部、前記切り抜き部、前記取り付け機構部、及び前記サンダル排出部が一つの筐体に収容されて成ることを特徴とするサンダルの自動製造販売機。
【請求項５】
複数のサイズのサンダル用ソールを形成するための帯状体を収容している帯状体収容部と、
複数のサンダル用アッパーを複数のサイズ別に且つ複数のタイプ別に収容したアッパー収容部と、
前記アッパー収容部に収容された複数のアッパーの中から所定のサイズ及びタイプのアッパーを取り出すためのアッパー取り出し部と、
ユーザーが希望するソールのサイズ及びアッパーのサイズ及びタイプを選択するためのサイズタイプ選択部と、
ユーザーが希望するサンダルの製造販売のための対価を入金するための対価入金部と、
前記サイズタイプ選択部又は前記対価入金部からの信号に基づいて前記帯状体収容部からの帯状体を前記ユーザーが選択したソールのサイズの形状に切り抜くための切り抜き部と、
前記サイズタイプ選択部又は前記対価入金部からの信号に基づいて、前記アッパー収容部からユーザーが選択したサイズ及びタイプのアッパーを取り出すように、前記アッパー取り出し部を制御するための制御手段と、
前記切抜き部、前記制御手段、又は前記対価入金部からの信号に基づいて、前記アッパー収容部から取り出されたアッパーを前記切り抜き部で切り抜かれたソールに取り付けるための取り付け機構部と、
前記取り付け機構部により前記のアッパーがソールに取り付けられて成るサンダルをユーザーが取り出せる取り出し口に排出するためのサンダル排出部と、
を含み、前記帯状体収容部、前記アッパー収容部、前記アッパー取り出し部、前記切り抜き部、前記取り付け機構部、及び前記サンダル排出部が一つの筐体に収容されて成ることを特徴とするサンダルの自動製造販売機。
【請求項６】
請求項１又は２において、さらに、
ユーザーが希望するソールのカラーを選択するためのソールカラー選択部と、
ユーザーが希望するアッパーのカラーを選択するためのアッパーカラー選択部と、
前記ソールカラー選択部からの信号に基づいて、前記ソール収容部から選択的に取り出されたソールをユーザーが選択したカラーに着色するためのソール着色部と、
前記アッパーカラー選択部からの信号に基づいて、前記アッパー収容部から選択的に取り出されたアッパーをユーザーが選択したカラーに着色するためのアッパー着色部と、
を備えたことを特徴とするサンダルの自動製造販売機。
【請求項７】
請求項１，２又は３において、さらに、
ユーザーが希望するソールの印刷画像を選択し又は外部から取り込むためのソール画像形成部と、
前記ソール画像形成部からの信号に基づいて、前記ソール収容部から選択的に取り出されたソールに対して、ユーザーが選択した画像を印刷するためのソール印刷部と、
を備えたことを特徴とするサンダルの自動製造販売機。
【請求項８】
請求項４又は５において、さらに、
ユーザーが希望するソールのカラーを選択するためのソールカラー選択部と、
ユーザーが希望するアッパーのカラーを選択するためのアッパーカラー選択部と、
前記ソールカラー選択部からの信号に基づいて、前記ソール収容部から選択的に取り出されたソール又は前記切り抜き部により前記帯状体が切り抜かれて得られたソールを、ユーザーが選択したカラーに着色するためのソール着色部と、
前記アッパーカラー選択部からの信号に基づいて、前記アッパー収容部から選択的に取り出されたアッパーを、ユーザーが選択したカラーに着色するためのアッパー着色部と、
を備えたことを特徴とするサンダルの自動製造販売機。
【請求項９】
請求項１から８までのいずれかにおいて、さらに、
前記取り付け機構部により前記アッパーが前記ソールに取り付けられて成るサンダルが前記サンダル排出部により排出される前に、前記サンダルを袋や箱などの容器に入れるための袋詰部を備えたことを特徴とするサンダルの自動製造販売機。
【請求項１０】
請求項１から９までのいずれかにおいて、さらに、
前記筐体には、ユーザーがソールのカラー、アッパーのカラー、又はアッパーのタイプを選択するための見本となる画像を表示するための表示部が備えられている、ことを特徴とするサンダルの自動製造販売機。
【発明の詳細な説明】
【０００１】
【発明の属する技術分野】
本発明は、海辺やプールの近くに設置して海水浴客などが気軽にその場で好みのサンダルを手に入れることができるサンダルの自動製造販売機に関する。
【０００２】
【従来の技術】
従来より、ボーリング場においては、箱型の自動貸靴機が設置されている。この自動貸靴機は、例えば、ドリンクの自動販売機のような箱タイプの筐体の中に複数のサイズ別の靴収納区画が設けられ、それらの各靴収納区画毎にそれぞれ各サイズ別の靴を複数個収納しておき、ユーザーが表示パネル兼用のタッチパネルで靴のサイズを指定してコイン投入口からコインを投入すると、その指定されたサイズの靴が収納されている靴収納区画に対応する靴収納ドラムが選択され、その靴収納ドラムが駆動手段により回転されて前記靴収納区画から希望するサイズの靴が取り出されて靴取り出し口へ滑り落される、というものである（例えば、特許文献１）。
【０００３】
また、従来より、ユーザーにインターネット上に公開されている履物販売者サイトにアクセスさせて、ユーザーが画面を見ながら靴などの履物の種類（婦人靴、紳士靴、子供靴など）、サイズ、基本タイプ、色、ヒール、アッパー、アクセサリー等の形態を指定してあたかもオーダーメードのように発注すると、販売者がそれを受注して製造し宅配便などで配達する、というサービスが知られている（例えば、特許文献２）。
【特許文献１】
特許第２９７８１０２号公報
【特許文献２】
特開２００２−６３４２８号公報
【０００４】
【発明が解決しようとする課題】
しかしながら、前記の靴自動貸機はボーリング場などにおいて靴を貸すだけで、希望するユーザーにその場で直ちに希望の靴を製造し販売するというものではない。また、前記のインターネット上の靴販売者サイトで靴を受注するサービスは、単に従来のオーダーメード的な履物の発注をインターネット経由で行なうようにしたというだけで、希望するユーザーにその場で直ちに希望する履物を製造して販売するというものではない。
【０００５】
本発明はこのような従来技術の問題点に着目してなされたものであって、海水浴場やプールなどの現場でサンダルを必要とするユーザーに、ユーザーが希望するサイズ、タイプ、又はカラーのサンダルをその場で直ちに製造し販売することができる、サンダルの自動製造販売装置を提供することを目的とするものである。
【０００６】
【課題を解決するための手段】
このような従来技術の課題を解決するための本発明によるサンダルの自動製造販売機は、複数のサンダル用ソールを複数のサイズ別に収容したソール収容部と、前記ソール収容部に収容された複数のソールの中から所定のサイズのソールを取り出すためのソール取り出し部と、複数のサンダル用アッパーを複数のサイズ別に収容したアッパー収容部と、前記アッパー収容部に収容された複数のアッパーの中から所定のサイズのアッパーを取り出すためのアッパー取り出し部と、ユーザーが希望するソール及びアッパーのサイズを選択するためのサイズ選択部と、ユーザーが希望するサンダルの製造販売のための対価を入金するための対価入金部と、前記サイズ選択部又は前記対価入金部からの信号に基づいて、前記ソール収容部及び前記アッパー収容部からそれぞれユーザーが選択したサイズのソール及びアッパーを取り出すように、前記ソール取り出し部及び前記アッパー取り出し部を制御するための制御手段と、前記制御手段又は前記対価入金部からの信号に基づいて、前記の取り出されたアッパーを前記の取り出されたソールに取り付けるための取り付け機構部と、前記取り付け機構部により前記のアッパーがソールに取り付けられて成るサンダルをユーザーが取り出せる取り出し口に排出するためのサンダル排出部と、を含み、前記ソール収容部、前記アッパー収容部、前記ソール取り出し部、前記アッパー取り出し部、前記取り付け機構部、及び前記サンダル排出部が一つの筐体に収容されて成ることを特徴とするものである。
【０００７】
また、本発明のサンダルの自動製造販売機は、複数のサンダル用ソールを複数のサイズ別に収容したソール収容部と、前記ソール収容部に収容された複数のソールの中から所定のサイズのソールを取り出すためのソール取り出し部と、複数のサンダル用アッパーを複数のサイズ別に且つ複数のタイプ別に収容したアッパー収容部と、前記アッパー収容部に収容された複数のアッパーの中から所定のサイズ及びタイプのアッパーを取り出すためのアッパー取り出し部と、ユーザーが希望するソールのサイズ及びアッパーのサイズ及びタイプを選択するためのサイズタイプ選択部と、ユーザーが希望するサンダルの製造販売のための対価を入金するための対価入金部と、前記サイズタイプ選択部又は前記対価入金部からの信号に基づいて、前記ソール収容部からユーザーが選択したサイズのソールを取り出すと共に前記アッパー収容部からユーザーが選択したサイズ及びタイプのアッパーを取り出すように、前記ソール取り出し部及び前記アッパー取り出し部を制御するための制御手段と、前記制御手段又は前記対価入金部からの信号に基づいて前記の取り出されたアッパーを前記の取り出されたソールに取り付けるための取り付け機構部と、前記取り付け機構部により前記のアッパーがソールに取り付けられて成るサンダルをユーザーが取り出せる取り出し口に排出するためのサンダル排出部と、を含み、前記ソール収容部、前記アッパー収容部、前記ソール取り出し部、前記アッパー取り出し部、前記取り付け機構部、及び前記サンダル排出部が一つの筐体に収容されて成ることを特徴とするものである。
【０００８】
また、本発明のサンダルの自動製造販売機は、複数のサンダル用ソールを複数のサイズ別に且つ複数のカラー別に収容したソール収容部と、前記ソール収容部に収容された複数のソールの中から所定のサイズ及びカラーのソールを取り出すためのソール取り出し部と、複数のサンダル用アッパーを複数のサイズ別に且つ複数のカラー別に収容したアッパー収容部と、前記アッパー収容部に収容された複数のアッパーの中から所定のサイズ及びカラーのアッパーを取り出すためのアッパー取り出し部と、ユーザーが希望するソール及びアッパーのサイズとカラーとを選択するためのサイズカラー選択部と、ユーザーが希望するサンダルの製造販売のための対価を入金するための対価入金部と、前記サイズカラー選択部又は前記対価入金部からの信号に基づいて、前記ソール収容部及び前記アッパー収容部からユーザーが選択したサイズ及びカラーのソール及びアッパーをそれぞれ取り出すように、前記ソール取り出し部及び前記アッパー取り出し部を制御するための制御手段と、前記制御手段又は前記対価入金部からの信号に基づいて前記の取り出されたアッパーを前記の取り出されたソールに取り付けるための取り付け機構部と、前記取り付け機構部により前記のアッパーがソールに取り付けられて成るサンダルをユーザーが取り出せる取り出し口に排出するためのサンダル排出部と、を含み、前記ソール収容部、前記アッパー収容部、前記ソール取り出し部、前記アッパー取り出し部、前記取り付け機構部、及び前記サンダル排出部が一つの筐体に収容されて成ることを特徴とするものである。
【０００９】
また、本発明のサンダルの自動製造販売機は、複数のサイズのサンダル用ソールを形成するための帯状体を収容している帯状体収容部と、複数のサイズ別に複数のサンダル用アッパーを収容したアッパー収容部と、前記アッパー収容部に収容された複数のアッパーの中から所定のサイズのアッパーを取り出すためのアッパー取り出し部と、ユーザーが希望するソールのサイズを選択するためのソールサイズ選択部と、ユーザーが希望するアッパーのサイズを選択するためのアッパーサイズ選択部と、ユーザーが希望するサンダルの製造販売のための対価を入金するための対価入金部と、前記ソールサイズ選択部又は前記対価入金部からの信号に基づいて前記帯状体収容部からの帯状体を前記ユーザーが選択したソールのサイズの形状に切り抜くための切り抜き部と、前記アッパーサイズ選択部又は前記対価入金部からの信号に基づいて、前記アッパー収容部からユーザーが選択したサイズのアッパーを取り出すように、前記アッパー取り出し部を制御するための制御手段と、前記切抜き部、前記制御手段、又は前記対価入金部からの信号に基づいて、前記アッパー収容部から取り出されたアッパーを前記切り抜き部で切り抜かれたソールに取り付けるための取り付け機構部と、前記取り付け機構部により前記のアッパーがソールに取り付けられて成るサンダルをユーザーが取り出せる取り出し口に排出するためのサンダル排出部と、を含み、前記帯状体収容部、前記アッパー収容部、前記アッパー取り出し部、前記切り抜き部、前記取り付け機構部、及び前記サンダル排出部が一つの筐体に収容されて成ることを特徴とするものである。
【００１０】
また、本発明のサンダルの自動製造販売機は、複数のサイズ及びタイプのサンダル用ソールを形成するための帯状体を収容している帯状体収容部と、複数のサンダル用アッパーを複数のサイズ別に且つ複数のタイプ別に収容したアッパー収容部と、前記アッパー収容部に収容された複数のアッパーの中から所定のサイズ及びタイプのアッパーを取り出すためのアッパー取り出し部と、ユーザーが希望するソールのサイズ及びアッパーのサイズ及びタイプを選択するためのサイズタイプ選択部と、ユーザーが希望するサンダルの製造販売のための対価を入金するための対価入金部と、前記サイズタイプ選択部又は前記対価入金部からの信号に基づいて前記帯状体収容部からの帯状体を前記ユーザーが選択したソールのサイズの形状に切り抜くための切り抜き部と、前記サイズタイプ選択部又は前記対価入金部からの信号に基づいて、前記アッパー収容部からユーザーが選択したサイズ及びタイプのアッパーを取り出すように、前記アッパー取り出し部を制御するための制御手段と、前記切抜き部、前記制御手段、又は前記対価入金部からの信号に基づいて、前記アッパー収容部から取り出されたアッパーを前記切り抜き部で切り抜かれたソールに取り付けるための取り付け機構部と、前記取り付け機構部により前記のアッパーがソールに取り付けられて成るサンダルをユーザーが取り出せる取り出し口に排出するためのサンダル排出部と、を含み、前記帯状体収容部、前記アッパー収容部、前記アッパー取り出し部、前記切り抜き部、前記取り付け機構部、及び前記サンダル排出部が一つの筐体に収容されて成ることを特徴とするものである。
【００１１】
また、本発明のサンダルの自動製造販売機においては、ユーザーが希望するソールのカラーを選択するためのソールカラー選択部と、ユーザーが希望するアッパーのカラーを選択するためのアッパーカラー選択部と、前記ソールカラー選択部からの信号に基づいて、前記ソール収容部から選択的に取り出されたソールに対して、ユーザーが選択したカラーに着色する（例えばそのカラーの塗料を吹き付け又は塗布する）ためのソール着色部と、前記アッパーカラー選択部からの信号に基づいて、前記アッパー収容部から選択的に取り出されたアッパーに対して、ユーザーが選択したカラーに着色する（例えば、そのカラーの塗料を吹き付け又は塗布する）ためのアッパー着色部と、を備えるのがよい。
【００１２】
また、本発明においては、さらに、ユーザーが希望するソールの印刷画像を選択し又は外部から取り込むためのソール画像形成部と、前記ソール画像形成部からの信号に基づいて、前記ソール収容部から選択的に取り出されたソールに対して、ユーザーが選択した画像を印刷するためのソール印刷部と、を備えるのがよい。
【００１３】
また、本発明のサンダルの自動製造販売機においては、ユーザーが希望するソールのカラーを選択するためのソールカラー選択部と、ユーザーが希望するアッパーのカラーを選択するためのアッパーカラー選択部と、前記ソールカラー選択部からの信号に基づいて、前記ソール収容部から選択的に取り出されたソール又は前記切り抜き部により前記帯状体が切り抜かれて得られたソールに対して、ユーザーが選択したカラーに着色する（例えば、そのカラーの塗料を吹き付け又は塗布する）ためのソール着色部と、前記アッパーカラー選択部からの信号に基づいて、前記アッパー収容部から選択的に取り出されたアッパーに対して、ユーザーが選択したカラーに着色する（例えば、そのカラーの塗料を吹き付け又は塗布する）ためのアッパー着色部と、を備えるのがよい。
【００１４】
また、本発明のサンダルの自動製造販売機においては、前記ソールとアッパーが前記取り付け機構部で結合されて成るサンダルが前記サンダル排出部により排出される前に、前記サンダルを袋や箱などの容器に入れるための袋詰部を備えるのがよい。
【００１５】
さらに、本発明のサンダルの自動製造販売機においては、前記筐体には、ユーザーがソールのカラー、アッパーのカラー、又はアッパーのタイプを選択するための見本となる画像を表示するための表示部が備えられているのがよい。
【００１６】
【発明の実施の形態】
（実施形態１）  図１は本実施形態１によるサンダルの自動製造販売機の電気的構成を示す概略ブロック図である。図１において、１は筐体の表面に取り付けられた注文開始ボタンであってユーザーが本実施形態１を使用して好みのサンダルを注文するときに最初に押すための注文開始ボタン、２はユーザーが希望のサンダルのタイプ（アッパーのタイプ）を選択入力するためのタイプ選択入力部、３はユーザーが希望のサンダルのソールの色を選択入力するためのソールカラー選択入力部、４はユーザーが希望のサンダルのアッパーの色を選択入力するためのアッパーカラー選択入力部、５はユーザーが希望のサンダルのサイズを選択入力するためのサイズ選択入力部、６はユーザーが希望のサンダルの購入代金を入金するための対価入金部、である。
【００１７】
また、図１において、７はユーザーにサンダルのソール又はアッパーのタイプ、色、サイズなどを選択させるための画面やサンダルの対価を表示するための画面表示部、８は複数の色及びサイズ別にそれぞれ複数のソールを収容しておくためのソール収容部（例えばソール収容部を複数の収納区画に分けて、色及びサイズ別に分けられた複数のソールをそれぞれの収納区画に分けて収納できるようにしたもの）、９は前記ソール収容部８からユーザーが選択した色及びサイズのソールを取り出すためのソール取り出し部（例えば前記複数の収納区画のいずれかに移動してその中に入っている一つのソールを取り出すためのピックアップ機構により構成される）、１０は複数の色、タイプ、及びサイズ別にそれぞれ複数のアッパーを収容しておくためのアッパー収容部（例えばアッパー収容部を複数の収納区画に分けて、色、タイプ、及びサイズ別に分けられた複数のアッパーをそれぞれの収納区画に収納できるようにしたもの）、１１は前記アッパー収容部１０からユーザーが選択した色、タイプ、及びサイズのアッパーを取り出すためのアッパー取り出し部（例えば前記複数の収納区画のいずれかに移動してその中に入っている一つのアッパーを取り出すためのピックアップ機構により構成される）、である。
【００１８】
また、図１において、１２は前記ソール取り出し部９により取り出されたソールと前記アッパー取り出し部１１により取り出されたアッパーとを互いに結合・接合させる（例えばソールに予め形成された複数の穴の中にアッパーの脚部（下端突部）を押し込んで固定させる）ための取り付け機構部、１３は前記取り付け機構部１２でソールとアッパーが結合されてサンダルが製造された後にそのサンダルをビニール袋などの容器に封入するための袋詰部、１４は前記袋詰部１３でビニール袋などの容器に封入されたサンダルをユーザーが手を入れて取り出すことができるサンダル排出口まで移動させるためのサンダル排出部、である。
【００１９】
また、図１において、１５は、前記の注文開始ボタン１、タイプ選択入力部２、ソールカラー選択入力部３、アッパーカラー選択入力部４、サイズ選択入力部５、及び対価入金部６からの入力を受けて、前記画面表示部７に所定の画像及び文字を表示させると共に、前記のソール取り出し部９、アッパー取り出し部１１、取り付け機構部１２、及びサンダル排出部１４を制御するためのマイクロコンピュータなどで構成される制御部、である。また、図１において破線はソール、アッパー、及びサンダルの流れを示している。
【００２０】
次に、図２は本実施形態１によるサンダル自動製造販売機の外観構成を示す正面図である。本実施形態１では、図１の各ブロック１−１５は全て、図２に示す筐体２１に内蔵されているか又はその一部が前記筐体２１の外表面に露出するように収容されている。
【００２１】
図２において、２１は筐体、２２は前記筐体２１の正面上方に備えられた液晶ディスプレイ、２３は前記筐体２１の正面中央左側に備えられた注文開始ボタン、２４は前記筐体２１の正面中央に放射状に配置された４つのカーソルキー、２５は前記筐体２１の正面中央（前記放射状に配置された４つのカーソルキー２４の中央の位置）に備えられた選択キー、２６はコイン投入口２６ａ及び紙幣投入口２６ｂより構成される対価入金部、２７はユーザーからの注文に応じて製造されたサンダルが排出されるサンダル排出口（ユーザーが蓋を開けてサンダルを取り出せるように構成されている）、である。
【００２２】
次に、本実施形態１の動作を図３及び図４を参照して説明する。まず、ユーザーが図２の注文開始ボタン１を押すと、前記制御部１５が、図３（ａ）に示すような「ユーザーにサンダルのアッパーのタイプの選択入力を促す画面」を前記液晶ディスプレイ２２（図２参照）に表示させる。図３（ａ）の例では、図示左側の横ベルト型のアッパー３１と図示右側の鼻緒型のアッパー３２との２つのタイプのアッパーの画像を表示して、ユーザーにいずれかのタイプを選択するように促している。ユーザーは、前記カーソルキー２４と選択キー２５（図２参照）を操作して、いずれかのアッパーに対応する画面上の選択ボタン３１ａ及び３２ｂのいずれか一方を選択する。ここでは、ユーザーが鼻緒型のアッパー３２に対応するボタン３２ｂを選択したと仮定して以下に説明を続ける。
【００２３】
ユーザーが図３（ａ）の画面にしたがって鼻緒型のアッパー３２に対応するボタン３２ｂを選択し入力したときは、前記制御部１５は、図３（ｂ）に示すような「ユーザーにソールの色の選択入力を促す画面」を前記液晶ディスプレイ２２に表示させる。図３（ｂ）の例では、図示のように、ソール及びアッパーから成るサンダルの画像３３と、計１０種類の色にそれぞれ対応する計１０個の選択ボタン３４とが、画面上に表示されている。ユーザーが前記カーソルキー２４を操作して前記の計１０個のボタン３４のいずれかの色を反転させると、前記画像３３の中のソールの画像３３ａが、その反転されたボタン３４に対応する色に着色されるようになっている。したがって、ユーザーは、その着色されたソールの画像３３ａを見ながら、ソールについて好みの色を選択することができる。ここでは、ユーザーがソールの色について例えばピンクを選択したと仮定して以下に説明を続ける。
【００２４】
ユーザーが図３（ｂ）の画面にしたがってソールの色として例えばピンクを選択し入力したときは、前記制御部１５は、図３（ｃ）に示すような「ユーザーにアッパー（この場合は鼻緒型のアッパー）の色の選択入力を促す画面」を前記液晶ディスプレイ２２に表示させる。図３（ｃ）の例では、図示のように、ソール及びアッパーから成るサンダルの画像３３と、計１０種類の色にそれぞれ対応する計１０個の選択ボタン３５とが、画面上に表示されている。ユーザーが前記カーソルキー２４を操作して前記の計１０個のボタン３５のいずれかの色を反転させると、前記画像３３の中のアッパーの画像３３ｂが、その反転されたボタン３５に対応する色に着色されるようになっている。したがって、ユーザーは、その着色されたアッパーの画像を見ながら、アッパーについて好みの色を選択することができる。ここでは、ユーザーがアッパーの色について例えば水色を選択したと仮定して以下に説明を続ける。
【００２５】
ユーザーが図３（ｃ）の画面にしたがってアッパーの色として例えば水色を選択し入力したときは、前記制御部１５は、図４（ａ）に示すような「ユーザーにサンダルのサイズの選択入力を促す画面」を前記液晶ディスプレイ２２に表示させる。図４（ａ）の例では、図示のように、ソール及びアッパーから成るサンダルの画像３３と、Ｓ，Ｍ，Ｌ，ＬＬの計４種類のサイズにそれぞれ対応する計４個の選択ボタン３６とが、表示されている。ユーザーは、前記カーソルキー２４及び選択キー２５を操作して前記の計４つのサイズのいずれかを選択する。ここでは、ユーザーが例えばＳのサイズを選択したと仮定して以下に説明を続ける。なお、本実施形態１では、前記のＳ，Ｍ，Ｌ，ＬＬなどサイズ表記に代えて、例えばジュニア、レディ、メンズなどのサイズ表記を使用するようにしてもよい。
【００２６】
ユーザーが図４（ａ）の画面にしたがって例えばＳのサイズを選択し入力したときは、前記制御部１５は、ユーザーがそれまでに選択したアッパーのタイプ、ソールの色、アッパーの色、及びサイズによるサンダルの価格を算出し、図４（ｂ）に示すような「ユーザーに前記価格を紙幣又はコインで支払うよう促す画面」を前記液晶ディスプレイ２２に表示させる。
【００２７】
次に、ユーザーが、この画面に表示された価格に対応する紙幣又はコインを前記対価入金部２６（図２参照）に入金すると、そのことを示す信号が前記対価入金部２６から前記制御部１５に入力される。前記制御部１５は、前記ソール取り出し部９及びアッパー取り出し部１１を制御して、前記ソール収容部８及び前記アッパー収容部９からそれぞれ前記ユーザーが選択した色・サイズのソール及び前記ユーザーが選択したタイプ・色・サイズのアッパーを取り出させる。この取り出すための機構としては、様々な機構が利用できるが、例えば従来の倉庫内などで利用される物品のピックアップ機構などを利用して行なうことができる。
【００２８】
次に、前記制御部１５は、前記の取り出されたアッパー（ウレタン樹脂、ＥＶＡ樹脂、塩化ビニル系樹脂、ＴＲ系（合成ラバー）樹脂などの発泡体又は非発泡体などの素材で形成されている）を前記の取り出されたソール（ウレタン樹脂、ＥＶＡ樹脂、塩化ビニル系樹脂、ＴＲ系（合成ラバー）樹脂などの発泡体又は非発泡体などの素材で形成されている）に取り付けるように、前記取り付け機構部１２を制御する。
【００２９】
前記取り付け機構部１２は、例えば、図５に示すような鼻緒型のアッパー４１をソール４５に取り付けるものである。図５に示すように、前記アッパー４１は、一つの軸部４２と二つの翼部４３により構成されている。前記軸部４２の下端には、前記軸部４２の下端がソール４５の穴４５ａに嵌め込まれた後の抜け止めを防止するための突起部４２ａが一体に形成されている。また、前記二つの翼部４３の下端には、それぞれ、前記翼部４３の下端がソール４５の穴４５ｂに嵌め込まれた後の抜け止めを防止するための突起部４３ａが一体に形成されている。
【００３０】
前記取り付け機構部１２は、前記アッパー４１の前記軸部４２の下端の突起部４２ａと前記二つの翼部４３の下端の突起部４３ａとをそれぞれソール４５の穴４５ａと二つの穴４５ｂとに嵌め込むことにより、前記アッパー４１を前記ソール４５に取り付けるようにしている。なお、図示していないが、前記ソール４５の裏面には、前記各下端の突起部４２ａ，４３ａを前記各穴４５ａ，４５ｂの中に嵌め込んだとき、前記各下端の突起部４２ａ，４３ａがソール４５の裏面から突出しないようにするための嵌め込み用凹部が形成されている。
【００３１】
なお、図５においては、鼻緒型のアッパー４１をソール４５に取り付ける場合について述べたが、横ベルト型のアッパー（図３（ａ）の符号３１参照）をソールに取り付ける場合についても、これとほぼ同様の動作が可能である。すなわち、図６（ａ）の例では、横ベルト型のアッパー４６の両端にそれぞれ２つの突起部４６ａが形成されている。これらの突起部４６ａは、図６（ｂ）の側面図に示すように、前記アッパー４６の両端の側面にアッパー４６と一体に形成されている突起部である。また、これらの突起部４６ａは、アッパー４６の符号４６ｂ（図６（ｂ））で示す部分がソール４７の穴４７ｂに挿入された後のアッパー４６の抜け止めを防止するためのものである。この図６の例では、前記アッパー４６の突起部４６ａ及び符号４６ｂ（図６（ｂ））で示す部分をソール４７の両側部の突部４７ａに形成されている二つの穴４７ｂにそれぞれ嵌め込む（図６（ａ）の破線の矢印参照）ことにより、前記アッパー４６を前記ソール４７に取り付けるようにしている。
【００３２】
また、本実施形態１では、前記取り付け機構部１２を他の構成とすることも可能である。例えば、前記取り付け機構部１２を、鼻緒型のアッパー４１の各下端の突起部４２ａ，４３ａをソール４５の穴４５ａ，４５ｂに嵌め込む機構と、この嵌め込み後に前記ソール４５の裏面と底用ソール５０の上面５０ａとに接着剤を塗布して互いを接合する機構とから構成するようにしてもよい（図７参照）。この場合は、前記取り付け機構部１２は、まず鼻緒型のアッパー４１の各下端の突起部４２ａ，４３ａをソール４５の穴４５ａ，４５ｂに嵌め込み、その後、前記ソール４５の裏面と底用ソール５０の上面５０ａとに接着剤を塗布して互いを貼り合わせ接合するようにする。そして、この状態のまま所定時間が経過して前記接着剤が固化することにより、前記アッパー４１の前記ソール４５及び底用ソール５０への取り付けが終了する。
【００３３】
なお、この場合は、前記ソール収容部８は、前記ソール４５及び底用ソール５０を「一組のソール」としてサイズ及び色別に分けて収容するようにしている。また、前記ソール取り出し部９は、ユーザーが選択したサイズ及び色のソール４５及び底用ソール５０を「一組のソール」として前記ソール収容部８から取り出すようにしている。
【００３４】
また、前述の図５の場合は、鼻緒型のアッパー４１の各下端の突起部４２ａ，４３ａが前記ソール４５の各穴４５ａ，４５ｂに嵌め込まれるだけなので、鼻緒型のアッパー４１の各下端の突起部４２ａ，４３ａが前記ソール４５の下面から露出していた。これに対して、図７の場合は、鼻緒型のアッパー４１の各下端の突起部４２ａ，４３ａが前記ソール４５の各穴４５ａ，４５ｂに嵌め込まれた後に前記底用ソール５０が前記ソール４５の下面に接合されるので、鼻緒型のアッパー４１の各下端の突起部４２ａ，４３ａが前記ソール４５の下面から露出することが無くなる。
【００３５】
（実施形態２）  次に、本発明の実施形態２によるサンダルの自動製造販売機の構成を図８を参照して説明する。図８において、図１と共通する部分には同一の符号を付している。本実施形態２においては、ソール収容部８には複数個のソールがサイズ別に収容されているだけで、色別には分けられていない。すなわち、ソール収容部８に収容されている各ソールは全て着色される前の原料のままの色に保たれている（又は白色に着色されている）。また、アッパー収容部１０においても、複数個のソールがタイプ別及びサイズ別に収容されているだけで、色別には分けられていない。すなわち、アッパー収容部１０に収容されている各アッパーは全て着色される前の原料の色のままに保たれている（又は白色に着色されている）。
【００３６】
また、本実施形態２においては、前記ソール取り出し部９は、前記ソール収容部８からユーザーの希望するサイズのソールを取り出した後、制御部１５の制御により、ソール着色部１６の方に搬送する。ソール着色部１６は、制御部１５の制御により、前記ソール取り出し部９からのソールを、ユーザーが選択したソールの好みの色（図３（ｂ）参照）に着色する。すなわち、前記ソール着色部１６は、予め図３（ｂ）に示すような計１０種類の色の塗料を備えており、前記制御部１５からの信号に基づいて、前記搬送されて来たソールの上面（又は上面及び側面）に前記ユーザーが選択して色の塗料をスプレーなどで吹き付け塗布し、その後、ファンを回転させて前記塗料を短時間内に乾燥させるようにする。
【００３７】
また、本実施形態２においては、前記アッパー取り出し部１１は、前記アッパー収容部１０からユーザーの希望するタイプ及びサイズのアッパーを取り出した後、制御部１５の制御により、アッパー着色部１７の方に搬送する。アッパー着色部１７は、制御部１５の制御により、前記アッパー取り出し部１１からのアッパーを、ユーザーが選択したアッパーの好みの色（図３（ｃ）参照）に着色する。すなわち、前記アッパー着色部１７は、予め図３（ｃ）に示すような計１０種類の色の塗料を備えており、前記制御部１５からの信号に基づいて、前記搬送されて来たアッパーの全面に前記ユーザーが選択して色の塗料をスプレーなどで吹き付け塗布し、その後、ファン（図示せず）を回転させて前記塗料を短時間内に乾燥させるようにする。
【００３８】
前記ソール着色部１６で着色されたソールと前記アッパー着色部１７で着色されたアッパーとは、制御部１５の制御により、前記取り付け機構部１２に搬送され、そこで組み立てられてサンダルに仕上げられる。以上の構成及び動作を除く本実施形態２の構成及び動作は、実施形態１と同様であるので、説明を省略する。
【００３９】
（実施形態３）  次に、本発明の実施形態３を図９を参照して説明する。図９において、図１と共通する部分には同一の符号を付している。本実施形態３においては、前記実施形態１のソール収容部８（図１参照）に代えて、帯状体収容部１８が備えられている。この帯状体収容部１８では、ソール用の素材（例えば、ウレタン樹脂やＥＶＡ樹脂などの素材）から成る所定の厚さ及び幅寸法を有する帯状体がロール状に巻かれたもの（図１０（ａ）の符号５１参照）が、例えば１０種類の色別に、それぞれ収容されている。
【００４０】
また、本実施形態３においては、前記実施形態１のソール取り出し部９（図１参照）に代えて、帯状体切り抜き部１９（図９参照）が備えられている。この帯状体切り抜き部１９は、前記制御部１５からの信号に基づいて、前記帯状体収容部１８に収容されている計１０種類の色別の帯状体の中の前記ユーザーが選択したソールの色（図３（ｂ）参照）と同じ色のロール状帯状体５１の先端部分５１ａを所定長さだけ引き出して、さらに、前記ユーザーが選択したサイズ（図４（ａ）参照）のソールの形状に対応する抜き型（図示せず）を選択・使用して、前記引き出した帯状体を型抜き（切り抜き）して、所望のサイズの形状のソール５２を得るものである。すなわち、前記帯状体切り抜き部１９は、予め、Ｓ，Ｍ，Ｌ，ＬＬの計４種類のサイズのソールの形状にそれぞれ対応した計４種類の抜き型を備えており、前記制御部１５からの信号に基づいて、前記帯状体収容部１８から所定長さだけ引き出した前記帯状体５１の先端部分５１ａを、前記ユーザーが選択したサイズのソールの形状に対応した抜き型により型抜きする（切り抜く）ものである。
【００４１】
次に、この帯状体切り抜き部１９によるサンダルの製造工程の一例を図１０を参照して具体的に説明する。まず、図１０（ａ）に示すように、帯状体５１の先端部分５１ａにユーザーが選択したサイズのソールの形状を示す線５１ｂを仮想的に形成（位置決め）し、それを基準として３つの穴５１ｃを抜き型で切り抜く。次に、図１０（ｂ）に示すように、前記３つの穴５１ｃに、鼻緒５２の軸部及び翼部の先端突起部（図５の符号４２ａ，４３ａ参照）を嵌め込む（挿入する）。次に、図１０（ｃ）に示すように、前記のソールの外形状を示す前記仮想線５１ｂを抜き型で切り抜く（図１０（ｃ）の切り抜き線５１ｃ参照）。これにより、アッパーがソールに取り付けられたサンダル５３が形成される。
【００４２】
さらに、図１０（ｃ）に示すように、前記先端部分５１ａを、切断線５１ｄで切断して、前記サンダル５３を含む長方形部分だけを前記ロール状帯状体５１から分離させる。そして、図１０（ｄ）に示すような前記切断線５１ｄで切断された帯状体の先端部分５１ａ（サンダル５３を含むもの）を、前記袋詰部１３（図９参照）によりビニール袋などの容器に封入して、これをサンダル排出部１４によりサンダル排出口２７（図２参照）に移動させる。
【００４３】
ユーザーは、図１０（ｄ）に示すような「サンダル５３を含む帯状体の先端部分５１ａ」（袋などの容器に封入されている）をサンダル排出口２７から取り出し、さらに、前記先端部分５１ａからサンダル５３の部分だけを取り出してサンダルとして使用する（前記先端部分５１ａの残りの部分は廃棄する）。以上の構成及び動作を除く本実施形態３の構成及び動作は、実施形態１と同様であるので、説明を省略する。
【００４４】
なお、以上の各実施形態では、対価入金部６としてコイン投入口２６ａ及び紙幣投入口２６ｂを例示したが、本発明はこれに限らず、例えば、ＩＣカードや携帯型情報端末に蓄積された電子マネー情報をサンダル自動製造販売機に搭載した読み取り機で接触又は非接触で読み取らせてサンダルの代金を入金するようにしてもよいし、携帯電話などの携帯情報端末と通信回線を使用してユーザーの銀行口座からサンダルの代金を決済するようにしてもよい。
【００４５】
また、本発明においては、図３（ａ）に示す「ソールの色をユーザーに選択入力させるよう促す画面」に代えて、「ソールの上面に印刷することを希望する画像（キャラクターや絵柄）をユーザーに選択入力させるよう促す画面」（すなわち、液晶ディスプレイ２２に複数の画像（キャラクターや絵柄）の候補を表示させて、ユーザーにどれを希望するか選択入力させるための画面）を表示させるようにしてもよい。そして、本発明では、図８（実施形態２）のソール着色部１６によりソールに着色することに代えて、前記「ソールの上面に印刷することを希望する画像（キャラクターや絵柄）をユーザーに選択入力させるよう促す画面」でユーザーが選択入力した画像（キャラクターや絵柄）を印刷するための印刷機によりソールの上面に前記画像を印刷するようにしてもよい。また、本発明では、さらに、ユーザーが自分や友人の顔画像などの任意の画像をサンダルの自動製造販売機に読み込ませて、この読み込んだ画像を前記印刷機によりソール上面に印刷させて、ユーザーがオリジナルのサンダルを製造できるようにしてもよい。
【００４６】
【発明の効果】
以上に説明したように、本発明のサンダルの自動製造販売機によれば、ユーザーが希望するサイズ、タイプ又は色のアッパーを、ユーザーが希望するサイズ又は色のソールに取り付けるようにして、ユーザーが希望するサンダルをその場で直ちにユーザーに提供できるようになる。すなわち、本発明では、海水浴場やプールなどでサンダルを必要とするユーザーに、ユーザーが希望するサイズ、タイプ、又はカラーのサンダルをその場で直ちに製造し販売することができるようになる。
【００４７】
また、本発明において、ユーザーからの入金により直ちに、サンダル自動製造販売機の内部でソール又はアッパーをユーザーが希望する色に着色するようにすれば、ソール又はアッパーを複数の色別にそれぞれ複数個ずつ保管する必要が無くなるため、ソール又はアッパーのサンダル自動製造販売機の内部に保管する在庫量を少なくすることができ、サンダルの製造販売コストを低減できるようになる。
【００４８】
また、本発明において、ユーザーが選択した画像（キャラクターや絵柄）又はユーザーがサンダル自動製造販売機に読み取らせた独自の画像（キャラクターや絵柄）をユーザーが選択したサイズのソールに印刷するようにすれば、ソールを複数のキャラクター又は絵柄別にそれぞれ複数個ずつ保管する必要が無くなるため、ソールのサンダル自動製造販売機の内部に保管する在庫量を少なくすることができ、サンダルの製造販売コストを低減できるようにすることができる。また、特に、ユーザーがサンダル自動製造販売機に読み取らせた独自の画像（キャラクターや絵柄や写真など）をソールに印刷するときは、ユーザーは自分のオリジナルのサンダルを製造して取得することができるようになる。
【００４９】
また、本発明において、ソールを切り抜く素材となる帯状体をサンダル自動製造販売機の内部に収容しておき、ユーザーからの入金により直ちにサンダル自動製造販売機の内部で前記帯状体をユーザーが希望するサイズの形状のソールに切り抜くようにすれば、多数のソールをサンダル自動製造販売機の内部に保管する必要がなくなるので、ソールのサンダル自動製造販売機の内部に保管する在庫量を少なくすることができ、サンダルの製造販売コストを低減できるようになる。
【図面の簡単な説明】
【図１】本発明の実施形態１によるサンダルの自動製造販売機の構成を示す概略ブロック図。
【図２】本実施形態１の外観図。
【図３】本実施形態１の動作を説明するための図。
【図４】本実施形態１の動作を説明するための図。
【図５】本実施形態１の動作の一例を説明するための図。
【図６】本実施形態１の動作の他の例を説明するための図。
【図７】本実施形態１の動作のさらに他の例を説明するための図。
【図８】本発明の実施形態２によるサンダルの自動製造販売機の構成を示す概略ブロック図。
【図９】本発明の実施形態３によるサンダルの自動製造販売機の構成を示す概略ブロック図。
【図１０】本発明の実施形態３の動作を説明するための図。
【符号の説明】
１          注文開始ボタン
２          タイプ選択入力部
３          ソールカラー選択入力部
４          アッパーカラー選択入力部
５          サイズ選択入力部
６          対価入金部
７          画面表示部
８          ソール収容部
９          ソール取り出し部
１０      アッパー収容部
１１      アッパー取り出し部
１２      取り付け機構部
１３      袋詰め部
１４      サンダル排出部
１５      制御部
１６      ソール着色部
１７      アッパー着色部
１８      帯状体収容部
１９      帯状体切り抜き部
２１      筐体
２２      液晶ディスプレイ
２４      カーソルキー
２５      選択キー
２６ａ  コイン投入口
２６      対価入金部
２６ｂ  紙幣投入口
２７      サンダル排出口
３１，３２，４１，４６            アッパー
３１ａ，３２ｂ，３４，３５，３６        ボタン
３３，３３ａ，３３ｂ                画像
４２ａ，４３ａ，４６ａ            下端突起部
４２      軸部
４３      翼部
４５，４７，５２          ソール
４５ａ，４５ｂ，４７ｂ，        穴
４６ａ  突起部
５０ａ  上面
５０      底用ソール
５１      帯状体
５３      サンダル
【図１】
2004151748.tif 000003
【図２】
2004151748.tif 000004
【図３】
2004151748.tif 000005
【図４】
2004151748.tif 000006
【図５】
2004151748.tif 000007
【図６】
2004151748.tif 000008
【図７】
2004151748.tif 000009
【図８】
2004151748.tif 000010
【図９】
2004151748.tif 000011
【図１０】
2004151748.tif 000012
【手続補正書】
【提出日】平成14年10月16日(2002.10.16)
【手続補正１】
【補正対象書類名】図面
【補正対象項目名】全図
【補正方法】変更
【補正の内容】
【図１】
2004151748.tif 000013
【図２】
2004151748.tif 000014
【図３】
2004151748.tif 000015
【図４】
2004151748.tif 000016
【図５】
2004151748.tif 000017
【図６】
2004151748.tif 000018
【図７】
2004151748.tif 000019
【図８】
2004151748.tif 000020
【図９】
2004151748.tif 000021
【図１０】
2004151748.tif 000022